(57)【要約】      （修正有）【課題】簡単にコードを保持することが可能であり、また、全体が単一部材で一体に形成されているので、コードを保持する際に組み立て作業を必要とせず、さらに、製造が容易であり、製造コストを抑えることができるワンピース型コード留め具を提供する。【解決手段】ワンピース型コード留め具であって、互いに対向して設けられる第１の押圧部１１および第２の押圧部１２と、第１の弾性アーム部１３１、第２の弾性アーム部１３２を含む連結部１３と、を有する留め具本体を備え、前記第１の押圧部および前記第２の押圧部には、貫通穴１４１が設けられた湾曲部が形成され、前記第１の押圧部および前記第２の押圧部における前記湾曲部と異なる位置には、前記第１の押圧部および前記第２の押圧部が外力によって互いに近づく方向に押し付けられたときに前記湾曲部の前記貫通穴と連続した貫通穴を形成する中空穴１５１が設けられた屈曲部がそれぞれ形成されている。【選択図】図２
2011019899.tif 000002
【特許請求の範囲】
【請求項１】
互いに対向して設けられる第１の押圧部および第２の押圧部と、
弾性部材により形成されて前記第１の押圧部の一方の端部と前記第２の押圧部における前記一方の端部から遠い側の端部とを連結する第１の弾性アーム部、および、弾性部材により形成されて前記第１の押圧部の他方の端部と前記第２の押圧部における前記他方の端部から遠い側の端部とを連結する第２の弾性アーム部を含む連結部と、を有する留め具本体を備え、
前記第１の押圧部および前記第２の押圧部には、貫通穴が設けられた湾曲部が形成され、前記第１の押圧部および前記第２の押圧部における前記湾曲部と異なる位置には、前記第１の押圧部および前記第２の押圧部が外力によって互いに近づく方向に押し付けられたときに前記湾曲部の前記貫通穴と連続した貫通穴を形成する中空穴が設けられた屈曲部がそれぞれ形成されていることを特徴とするワンピース型コード留め具。
【請求項２】
前記第１の押圧部の外面には外側に向けて突出する突条が複数設けられていることを特徴とする請求項１に記載のワンピース型コード留め具。
【請求項３】
前記第２の押圧部の外面には外側に向けて突出する滑り止めが複数設けられていることを特徴とする請求項１に記載のワンピース型コード留め具。
【請求項４】
前記第１の弾性アームの両側における前記第１の押圧部および前記第２の押圧部との連結部位には前記湾曲部がそれぞれ形成されており、前記第２の弾性アームの両側における前記第１の押圧部および前記第２の押圧部との連結部位には前記屈曲部がそれぞれ形成されていることを特徴とする請求項１に記載のワンピース型コード留め具。
【請求項５】
前記第１の弾性アーム部における中央近傍の上下面には補強部が突設されていることを特徴とする請求項４に記載のワンピース型コード留め具。
【請求項６】
前記第２の弾性アーム部における中央近傍の上下面には補強部が突設されていることを特徴とする請求項４に記載のワンピース型コード留め具。
【発明の詳細な説明】
【技術分野】
【０００１】
本発明は、ワンピース型コード留め具に関し、とりわけ第１の押圧部と第２の押圧部とを指で押下した後、互いに対向して一致した貫通穴と中空穴とにコードを通した後、連結部の弾性復帰力により、コードは貫通穴と中空穴とが互いにずれることで挟持固定されるとともに、構造が簡単なワンピース型の本体となることで、コストを削減できるワンピース型コード留め具に関する。
【背景技術】
【０００２】
現在、留め具は、様々な用途に使用されており、それぞれの用途に応じて様々な係合方式を有している。中でも、履き物、バッグ、または衣料品などに用いられるコード留め具は、コードに通されて使用される。具体的には、例えば、履き物、バッグまたは衣料品の開口の外縁に取り付けられたコードに当該コードの両端が留め具本体から引き出されるようにコード留め具を通し、留めコマを先端から外側に嵌め込み、留め具をコードの外側表面に沿って移動させることで、履き物、バッグまたは衣料品の開口の大きさを調節することができる。
【０００３】
図７は、従来のコード留め具の一例を示す外観図である。図中から理解できるように、当該コード留め具は、押しボタンＡと、留め具本体Ｂと、スプリングＣとを備えている。このうち押しボタンＡは、軸方向の太さがそれぞれ異なる上端部、中央柱状体部Ａ１、および固定体Ａ４で構成されており、このうち中央柱状体部Ａ１には貫通穴Ａ２が設けられている。そして、貫通穴Ａ２の下端における水平部位には、上方が平坦で下方が円弧面となっている突起Ａ３が延設されている。そして、固定体Ａ４は、押しボタンＡの底面から当該押しボタンＡの軸方向に突設されている。また、留め具本体Ｂは、内部が中空の中空収容体Ｂ１を備えており、その中空部位は、押しボタンＡおよびスプリングＣが収容される収容空間Ｂ２となっている。そして、収容空間Ｂ２の底部は中空収容体Ｂ１の底壁によって塞がれており、当該底壁の中央には上方に突出する位置決め体Ｂ３が設けられている。そして、中空収容体Ｂ１の上端部の開口の両側にはガイド斜面Ｂ４が突設されている。また、中空収容体Ｂ１の側壁における対向する位置には通し穴Ｂ５が設けられている。
【０００４】
スプリングＣは、押しボタンＡと留め具本体Ｂとの間に配されて留め具本体Ｂの収容空間Ｂ２内に収容される。そして、このとき、スプリングＣの上端部には押しボタンＡの固定体Ａ４が挿入され、下端部には留め具本体Ｂの位置決め体Ｂ３が挿入される。図７に示すコード留め具でコードを固定する場合は、まず、押しボタンＡが留め具本体Ｂの収容空間Ｂ２に収容されるように押しボタンＡを押下する。そして、このとき、押しボタンＡの突起Ａ３が留め具本体Ｂの側壁内面の上端部に設けられている二つのガイド斜面Ｂ４に沿って押入されて、貫通穴Ａ２を留め具本体Ｂにおける二つの対応する通し穴Ｂ５に対向一致させて、さらに予め準備されていたコードの二つの先端を挿入することで、押しボタンＡはスプリングＣが圧縮された後の復帰弾性力によりコードを押しボタンＡおよび留め具本体Ｂにおける対応する貫通穴Ａ２、通し穴Ｂ５にて固定して、全体的な組付けが完了し、使用できるようになる。
【発明の概要】
【発明が解決しようとする課題】
【０００５】
ところで、上記のような従来の留め具は、もし不注意によりコードが貫通穴Ａ２および通し穴Ｂ５から抜けてしまうと、留め具本体Ｂから押しボタンＡおよびスプリングＣが飛び出して外れてしまい、これらの部品を紛失してしまうことがあった。また、一旦外れた各部品を再度組付けるときには、スプリングＣを再度押しボタンＡと留め具本体Ｂの間に位置決めしなければならず、組み立てに手間がかかった。
【０００６】
また、上記のような従来の留め具は、全体の構造が複雑で部品点数が多くなってしまうことで、製造工程に困難が伴い、ひいては製造所用時間およびコストの増加に繋がる。
【課題を解決するための手段】
【０００７】
よって、発明者は上記課題を解決することを目的として、関連する資料を集め、多方面にわたる分析および考察を経るとともに、当業者として蓄積してきた長年の経験を生かし、絶えず試作および改修を行って、ようやく本願に記載のワンピース型コード留め具を発明した。
【０００８】
本発明は、互いに対向して設けられる第１の押圧部および第２の押圧部と、弾性部材により形成されて前記第１の押圧部の一方の端部と前記第２の押圧部における前記一方の端部から遠い側の端部とを連結する第１の弾性アーム部、および、弾性部材により形成されて前記第１の押圧部の他方の端部と前記第２の押圧部における前記他方の端部から遠い側の端部とを連結する第２の弾性アーム部を含む連結部と、を有する留め具本体を備え、前記第１の押圧部および前記第２の押圧部には、貫通穴が設けられた湾曲部が形成され、前記第１の押圧部および前記第２の押圧部における前記湾曲部と異なる位置には、前記第１の押圧部および前記第２の押圧部が外力によって互いに近づく方向に押し付けられたときに前記湾曲部の前記貫通穴と連続した貫通穴を形成する中空穴が設けられた屈曲部がそれぞれ形成されていることを特徴とするワンピース型コード留め具を提供する。このようなワンピース型コード留め具によれば、湾曲部の貫通穴と屈曲部の中空穴とが連続した貫通穴を形成するように第１の押圧部と第２の押圧部とを外力によって互いに近づく方向に押し付けることで、留め具本体はコードの外側表面で移動することができ、さらに、第１の押圧部と第２の押圧部とを押し付けるのを止めると、連結部の弾性復帰力により、湾曲部と屈曲部の位置がずれて貫通穴の位置と中空穴の位置とが互いにずれるので、湾曲部の貫通穴と屈曲部の中空穴とに挿通していたコードが湾曲部と屈曲部によって挟持固定される。また、留め具本体の各構成全体を単一の部材で形成することで、ひいてはコストを削減する目的を達成することができるところにある。
【発明の効果】
【０００９】
本発明におけるワンピース型コード留め具は実際の使用において、以下のよう各長所を備える。
【００１０】
（１）第１の押圧部１１および第２の押圧部１２に外力を加えて互いに近づく方向に押し付けると、貫通穴１４１と中空穴１５１とが連続した貫通穴を形成する。そして、この状態で貫通穴１４１と中空穴１５１にコード２を通してから外力を開放すると、連結部１３の弾性回復力により、貫通穴１４１と中空穴１５１とが互いにずれることでコード２が貫通穴１４１および中空穴１５１内に緊密に挟持固定される。したがって、本発明におけるワンピース型コード留め具は、簡単にコードを保持することが可能であり、また、全体が単一部材で一体に形成されているので、コードを保持する際に組み立て作業が必要ない。また、全体が単一部材であるので、製造が容易であり、製造コストを抑えることができる。
【００１１】
（２）また、第１の弾性アーム部１３１および第２の弾性アーム部１３２における中央の上下面に補強部１３１１、１３２１を設けることで、第１の弾性アーム部１３１および第２の弾性アーム部１３２の構造強度がより高まるので、第１の弾性アーム部１３１および第２の弾性アーム部１３２が破断しにくくなり、結果として本発明におけるワンピース型コード留め具の寿命を効果的に延ばすことができる。
【図面の簡単な説明】
【００１２】
【図１】本発明の好ましい実施例であるワンピース型コード留め具の立体外観図である。
【図２】本例のワンピース型コード留め具における留め具本体１の第１の押圧部１１と第２の押圧部１２とを外力によって互いに近づく方向に押し付ける前の断面図である。
【図３】第１の押圧部１１と第２の押圧部１２とを外力によって互いに近づく方向に押し付ける前の概略図である。
【図４】第１の押圧部１１と第２の押圧部１２とを外力によって互いに近づく方向に押し付けている途中の状態を示す概略図である。
【図５】第１の押圧部１１と第２の押圧部１２とを外力によって互いに近づく方向に押し付けた後の状態を示す断面図である。
【図６】第１の押圧部１１と第２の押圧部１２とを外力によって互いに近づく方向に押し付けた後の状態を示す概略図である。
【図７】従来のコード留め具の一例を示す外観図である。
【発明を実施するための形態】
【００１３】
上記目的および効果を達成するために、本発明で採用する技術的手段およびその構造は、ここに図面にて、本発明の好ましい実施例でその特徴および効果を以下のとおり詳細に説明することで、完全なる理解を図るものである。
【００１４】
図１は、本発明の好ましい実施例であるワンピース型コード留め具の立体外観図である。また、図２は、本例のワンピース型コード留め具における留め具本体１の第１の押圧部１１と第２の押圧部１２とを外力によって互いに近づく方向に押し付ける前の断面図である。なお、図２および後述の図５は、本例のワンピース型コード留め具における留め具本体１をコード挿通方向と直交する面で切断したときの断面図である。図１および図２に示すワンピース型コード留め具は、留め具本体１を備える。留め具本体１は、例えば弾力性のある合成樹脂によって一体に形成され、留め具本体１は薄板状または板状の第１の押圧部１１および第２の押圧部１２を有する。また、第１の押圧部１１の外面には外側に向けて突出する突条１１１が複数設けられており、また、第２の押圧部１２の外面には、外側に向けて突出する滑り止め１２１が複数設けられている。また、第１の押圧部１１および第２の押圧部１２は、互いに交差する第１の弾性アーム部１３１と第２の弾性アーム部１３２とを含む連結部１３によって連結されている。そして、第１の弾性アーム部１３１における中央に近接する上下面には補強部１３１１が突設され、さらに第２の弾性アーム部１３２における中央に近接する上下面には補強部１３２１が突設されている。第１の弾性アーム部１３１の両側において、第１の押圧部１１および第２の押圧部１２との連結部には湾曲部１４がそれぞれ形成されている。そして、各湾曲部１４には、留め具本体１の幅方向に貫通する貫通穴１４１が設けられている。また、第２の弾性アーム部１３２の両側において、第１の押圧部１１および第２の押圧部１２との連結部には屈曲部１５がそれぞれ形成されている。そして、各屈曲部１５には、留め具本体１の幅方向に貫通する中空穴１５１が設けられている。
【００１５】
図３は、第１の押圧部１１と第２の押圧部１２とを外力によって互いに近づく方向に押し付ける前の概略図である。また、図４は、第１の押圧部１１と第２の押圧部１２とを外力によって互いに近づく方向に押し付けている途中の状態を示す概略図である。また、図５は、第１の押圧部１１と第２の押圧部１２とを外力によって互いに近づく方向に押し付けた後の状態を示す断面図である。また、図６は、第１の押圧部１１と第２の押圧部１２とを外力によって互いに近づく方向に押し付けた後の状態を示す概略図である。図３乃至図６に示すように、留め具本体１における第１の押圧部１１の突条１１１および第２の押圧部１２の滑り止め１２１を介して第１の押圧部１１と第２の押圧部１２とを互いに近づく方向に押し付けるように外力を加えると、連結部１３における互いに交差する第１の弾性アーム部１３１および第２の弾性アーム部１３２が弾性変形して撓む。そして、第１の弾性アーム部１３１の両側における湾曲部１４と第２の弾性アーム部１３２の両側における屈曲部１５とが隣り合う位置に移動し、貫通穴１４１と中空穴１５１とが連続した貫通穴を形成する。そして、予め準備しておいたコード２を留め具本体１における貫通穴１４１および中空穴１５１にそれぞれ通して、留め具本体１をコード２の適切な位置に移動させる。
【００１６】
また、第１の押圧部１１および第２の押圧部１２を押下する力を開放する（押下を止める）と、第１の弾性アーム部１３１および第２の弾性アーム部１３２の弾性回復力により、連続した貫通穴を形成していた貫通穴１４１と中空穴１５１とがずれた状態になる。これにより、コード２は各貫通穴１４１と各中空穴１５１とでしっかりと確実に挟持固定される。本例のワンピース型コード留め具は、例えば、履き物、バッグまたは衣料品の開口の大きさを閉じるようといった用途に広く適用することができ、しかも信頼性高くしっかりとコード２を固定することができるので、滑ってコード２から外れたり、緩みにくい。また、構造が簡単であるので、製造コストを削減することができる。
【００１７】
上記した第１の押圧部１１の突条１１１および第２の押圧部１２の滑り止め１２１は、使用者が第１の押圧部１１および第２の押圧部１２を互いに近づく方向に押し付けるように外力を加えるときに、指が滑りにくくするために設けられているものである。したがって、第１の押圧部１１および第２の押圧部１２を互いに押し付ける操作をより簡単かつ確実に行うことができる。また、前記第１の弾性アーム部１３１および第２の弾性アーム部１３２における中央近傍の上下面に所定厚みの補強部１３１１、１３２１を設けることで、第１の弾性アーム部１３１および第２の弾性アーム部１３２の構造強度を高めて、第１の押圧部１１および第２の押圧部１２が繰り返して押下されたときに、その第１の弾性アーム部１３１および第２の弾性アーム部１３２の中央近傍にて、応力が集中して変形するという不具合を防止して、耐用性を高めることができる。
【００１８】
このように、本例のワンピース型コード留め具は、第１の押圧部１１と第２の押圧部１２とを互いに近づく方向に押し付けた状態で、互いに対向して一致した貫通穴１４１と中空穴１５１にコード２を通した後、押し付ける力を開放することで、連結部１３の弾性回復力によって貫通穴１４１と中空穴１５１とがずれることによりコード２は貫通穴１４１と中空穴１５１に緊密に挟持固定される。また、留め具本体１の構造が簡単であるので、複数のパーツで構成されたコード留め具と比べて製造コストを削減することができる。ただし、上記したものは本発明の好ましい実施例に過ぎず、これにより本発明の権利範囲を限定するというものではないので、本発明の明細書および図面の内容を運用してなされた簡易な付加および等価の構造的変化は、いずれも本発明の権利範囲内に含まれるのが妥当であるということを予め表明しておく。
【００１９】
以上のように、本発明のワンピース型コード留め具は使用に際して、上記の効果を確実に達成することができる。審査官殿には、発明者の苦労が報われるよう本願が一日も早く特許発明として登録され、そして何らかの疑問があった場合には、発明者は極力協力を惜しまないので、書面にて指示を頂きますよう切望する次第である。
【符号の説明】
【００２０】
１  留め具本体
１１  第１の押圧部
１１１  突条
１２  第２の押圧部
１２１  滑り止め
１３  連結部
１３１  第１の弾性アーム部
１３１１  補強部
１３２  第２の弾性アーム部
１３２１  補強部
１４  湾曲部
１４１  貫通穴
１５  屈曲部
１５１  中空穴
２  コード
Ａ  押しボタン
Ａ１  中央柱状体部
Ａ２  貫通穴
Ａ３  突起
Ａ４  固定体
Ｂ  留め具本体
Ｂ１  中空収容体
Ｂ２  収容空間
Ｂ３  位置決め体
Ｂ４  ガイド斜面
Ｂ５  通し穴
Ｃ  スプリング
【図１】
2011019899.tif 000003
【図２】
2011019899.tif 000004
【図３】
2011019899.tif 000005
【図４】
2011019899.tif 000006
【図５】
2011019899.tif 000007
【図６】
2011019899.tif 000008
【図７】
2011019899.tif 000009